(57)【要約】【課題】  毛布の襟元周りの保温を高め、体に添いやすく、負担のかからない温かい空気溜まりを逃がさないようにした毛布を課題とした。【解決手段】  折り返し分を残して、毛布の上面の両側縁部の内側に添って二筋の挿入部を持つ当て布を装着し、その挿入部に、玉Ａを通した紐の両先を合わせて玉Ｂに通し、その紐先を分け二筋の挿入口より通し、当て布の底に紐を留めつける。玉Ａを持ち、玉Ｂを下げ、玉Ａを通した紐を結ぶと係止され、両当て布が縮まり、横にドレープができるので立体的になり、間に温かい空気溜まりでき体の厚み分がでる。襟元の上面の毛布を軽く折り返して顎の下より肩に伸ばして使用すると首周りや肩の部分も包まれ、襟元周りの保温を高める毛布となる。【選択図】  図１
2011167320.tif 000002
【特許請求の範囲】
【請求項１】
折り返し分を残して、毛布の上面の両側縁部の内側に添って二筋の挿入部を持つ当て布を装着し、その挿入部に、玉Ａを通した紐の両先を合わせて玉Ｂに通し、その紐先を分け二筋の挿入口より挿入し、当て布の底に紐を留めつけた襟元周りの保温を高める毛布。
【請求項２】
玉Ａ、玉Ｂを通した紐の長さは当て布の丈以上あり、玉Ａ持ち、玉Ｂを下げ、玉Ａを通した紐を結ぶと係止され、両当て布が縮まり横にドレープができ、襟元の上面の毛布を軽く折り返して使用する体に添いやすくした請求項１の襟元周りの保温を高める毛布。
【発明の詳細な説明】
【技術分野】
【０００１】
本発明は、襟元周りの保温を高め、体に負担の少ない毛布に関するものである。
【背景技術】
【０００２】
従来、寝具用防寒肩当てとして掛布団の衿側縁部に、首当て部と一対の肩当て部とを接着して、首当てや肩当てを紐、ピン、ホック、釦等を介して接着するというものがあるが首当てや肩当てを、装着部品を介して接着するという煩わしさがある。
【０００３】
布地を複数枚重ねた袋状の横長の長方形のマフラーの先端中央に、マフラー衿部を有し、後部に空気流出入口を設け、最後端部に取り付け具を用いて、寝具に着脱自在に止着するという構造のものは、問題点としてこれも取り付け具を用いたりする煩わしさある。
【０００４】
また、四方形の毛布の一辺に平行な襞を複数設け、この襞が崩れないように襞の中央寄り一定の巾を固定し襞の両端部はフリーにして襞が扇のように広がり両肩の上方向まで周り込むことができるようにしたものがあるが、襞は、ホック、縫い糸、紐等で固定されており、喉元周りが固定された襞に押さえつけられて圧迫感があり、毛布も固定された襞のため、襞の間に汚れがたまるなどの弊害もあり、毛布をたたむ時も固定部が盛り上がるなどすっきりと畳めないなどの問題点がある。
【先行技術文献】
【特許文献】
【０００５】
【特許文献１】特開平１１−１９２１４６号
【特許文献２】特開２００５−０１３５３１号
【特許文献３】特開２００７−１７５４６１号
【発明の概要】
【発明が解決しようとする課題】
【０００６】
寝具用防寒肩当てとして襟元周りの保温を保つために、掛布団の衿側縁部に、取り付け具や接着具を用いて装着するものなどいろいろあるが、何れも取り付けの煩わしさがあり、簡単な装置で、より以上の効果をあげ、その装置を解くと元の一枚の毛布になる事を課題とした。
【課題を解決するための手段】
【０００７】
本発明は、この様な従来の構成が有していた問題を解決しようとするものであり、解決手段として、折り返し分を残して、毛布の上面の両側縁部の内側に添って二筋の挿入部を持つ当て布を装着し、その挿入部に、玉Ａを通した紐の両先を合わせて玉Ｂに通し、その紐先を分け二筋の挿入口より挿入し、当て布の底に紐を留めつける。
【０００８】
上記の玉A玉Bを通した紐の長さは当て布の丈以上あり、玉Aを持ち、玉Bを下げ、長くなった玉Aを通した紐を結ぶと係止され、両当て布が縮まり横にドレープができ、襟元の上面の毛布を軽く折り返して、顎の下から肩周りを包むように伸ばして使用する。
【０００９】
玉Ａを持ち、玉Ｂを下に下げ、玉Ａを通した長くなった紐を結ぶと紐が係止され、両当て布が縮められ、その部分が硬くなり、ギャザーの立ち上がりでき、両当て布間に立体的なドレープの空間ができ、人体の厚みに添う高さができるので動きが楽になる。襟元の上面の毛布を軽く折り返して顎の下から肩周りを包むように伸ばして使用すると、首周りや肩周りの部分も包み込まれ、襟元の保温を高める毛布となる。玉Aを引っ張って解き、玉B
を持ち上げると皺は無くなり、元の一枚の毛布になる構造になっている。
【発明の効果】
【００１０】
毛布はそのまま使用すれば普通の毛布と変わらず、折り返し分を除いて、毛布の上面の両側縁部の内側に添って二筋の挿入部を持つ当て布を装着し、その挿入部に玉Ａを通した紐の両先を合わせて玉Ｂに通し、その紐先を分け二筋の挿入口より挿入し、当て布の底に紐を留めつけ、玉Ａを持ち、玉Ｂを下に下げ、玉Ａを通した長くなった紐を結ぶと、両当て布が縮まり、人体の厚みに添う高さができるので動きが楽になる。両当て布の間に横にドレープができるので、間に温かい空気溜まりできる。襟元の上面の毛布を軽く折り返して顎の下から肩周りを包むように伸ばして使用すると、温められた空気も逃げない。
【００１１】
襟元の折り返し分を顎の下から肩周りを包むように延ばすと、襟元から入る冷気を防ぎマフラーを掛けている状態なり、首周りや肩周りの保温が高められる。
【００１２】
体にぴったりとした下着より、少しゆとりのある下着の方が温かく、動きやすいように、毛布の中も温められた空気溜りのあるほうが軽くて温かい。両当て布を縮めるとその部分が硬くなり、ギャザーの立ち上がりでき、両当て布の間に横にドレープができる。人が寝ると中央の部分が体の厚みに添って、ドレープが延び、体が包み込まれるようになる。ドレープの間には適当な空気溜まりができ、温められた空気が体に温かく動きやすい。
【００１３】
一枚の毛布を掛けただけでは、人体へ添いよりが無いので冷気も入りやすいが、動いてもドレープの中にゆとりがあり、毛布の中に立体的な空間ができるので、体への毛布の添いよりが良い。
【００１４】
病人や老人には、一枚の毛布でも体に重みを感じるものであるが、折り返し分の襟元周りの毛布が、首周りや肩周りを温かく包み、しかも両当て布を縮める事により、横にドレープができ、毛布の中に立体的な空間が少しできるので、体の厚み分の高さに添いやすく体への負担が少ない。縮められた当て布や両側縁部のギャザーは軽い重石となり、温められた空気を逃がさない。毛布中で少しぐらい動いても体への添い寄りは、ずれにくい。
【図面の簡単な説明】
【００１５】
【図１】玉を通した当て布を毛布に装着した裏平面図。
【図２】使用状態の裏平面図。
【図３】使用状態の表平面図。
【図４】玉を通した紐を当て布に挿入した部分拡大図。
【発明を実施するための形態】
【００１６】
毛布１の折り返し分７を残した上面の両側縁部の内側に添って、二筋の挿入部を持つ当て布２を装着し、その二筋の挿入口６に、玉Ａ３を通した紐の両先を合わせて玉Ｂ４に通し、その紐先を分け二筋の挿入口６より当て布２の挿入部に通し、当て布２の底に紐を留めつける。
【００１７】
上記の玉Ａ３と玉Ｂ４を通した二筋の紐の長さは当て布２の丈以上にあり、玉Ａ３を持って、玉Ｂ４を下に下げるとギャザーができ、玉Ａ３を通した長くなった紐をひろげて玉A３を中心に結ぶと係止される。（図２参照）両当て布２が縮まってギャザーになり横にドレープ８ができる。毛布のドレープ８の中が立体的に盛り上がり体の厚みに添い高さができ、ドレープの間に温かい空気溜まりできる。襟元の上面の毛布を軽く折り返して顎の下から肩にかけるようにして使用すると、肩からの冷気も入らず、首周りや肩の部分も包まれ、襟元周りの保温が一層高められる毛布となる。
【００１８】
玉Ａ３の結び目は、玉A３を引っ張ると直ぐに解け、玉Ｂ４を引き上げると皺は無くなり、元通りの一枚の毛布１となる。
【００１９】
当て布２は、毛布１と同じものを用いるか、別の柔らかくて温かいものを用いても良く、テープ状の布等を毛布に合わせて当て布にしても良い。
【００２０】
暖房の効いた部屋では、軽くて温かい立体的に構成された毛布だけでも充分に過ごす事ができ、その上に寒い場合は羽毛布団等を掛ければ万全である。
【００２１】
当て布２を縮めて結んだ玉A３は、結んだ時はしっかり係止され、引っ張れば簡単に解く事ができ、玉B４を上に引き上げれば皺もなくなり一枚の毛布となる。干すときも、片付けるために畳む時も、普通の毛布となんら変わる事は無い。以上の大きな効果がある。
【符号の説明】
【００２２】
１  毛布
２  当て布
３  玉Ａ
４  玉Ｂ
５  紐
６  二筋の挿入口
７  折り返し分
８  ドレープ
【図１】
2011167320.tif 000003
【図２】
2011167320.tif 000004
【図３】
2011167320.tif 000005
【図４】
2011167320.tif 000006
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
毛布上面の折り返し分を残し、毛布の左右の両側縁部の内側に添って、縦に二筋の挿入口を持つ一対の当て布を装着し、その挿入口に、玉Ａを通した紐の両先を合わせて玉Ｂに通し、その紐先を分け二筋の挿入口より挿入し、当て布の底に紐を留めつけた襟元周りの保温を高める毛布。
【請求項２】
玉Ａ、玉Ｂを通した紐の長さは、玉Ａ、玉Ｂが当て布丈より出る位にし、玉Ａ持ち、玉Ｂを下ろし、玉Ａを通した紐を結ぶと係止され、両当て布の間が縮まり横にドレープができ、襟元の上面の折り返し分の毛布を顎下から肩部に添わして使用する請求項１記載の襟元周りの保温を高める毛布。
【手続補正２】
【補正対象書類名】明細書
【補正対象項目名】全文
【補正方法】変更
【補正の内容】
【発明の詳細な説明】
【技術分野】
【０００１】
本発明は、襟元周りの保温を高め、体に負担の少ない毛布に関するものである。
【背景技術】
【０００２】
従来、寝具用防寒肩当てとして掛布団の衿側縁部に、首当て部と一対の肩当て部とを接着して、首当てや肩当てを紐、ピン、ホック、釦等を介して接着するというものがあるが首当てや肩当てを、装着部品を介して接着するという煩わしさがある。
【０００３】
布地を複数枚重ねた袋状の横長の長方形のマフラーの先端中央に、マフラー衿部を有し、後部に空気流出入口を設け、最後端部に取り付け具を用いて、寝具に着脱自在に止着するという構造のものは、問題点としてこれも取り付け具を用いたりする煩わしさある。
【０００４】
また、四方形の毛布の一辺に平行な襞を複数設け、この襞が崩れないように襞の中央寄り一定の巾を固定し襞の両端部はフリーにして襞が扇のように広がり両肩の上方向まで周り込むことができるようにしたものがあるが、襞は、ホック、縫い糸、紐等で固定されており、喉元周りが固定された襞に押さえつけられて圧迫感があり、毛布も固定された襞のため、襞の間に汚れがたまるなどの弊害もあり、毛布をたたむ時も固定部が盛り上がるなどすっきりと畳めないなどの問題点がある。
【先行技術文献】
【特許文献】
【０００５】
【特許文献１】特開平１１−１９２１４６号
【特許文献２】特開２００５−０１３５３１号
【特許文献３】特開２００７−１７５４６１号
【発明の概要】
【発明が解決しようとする課題】
【０００６】
寝具用防寒肩当てとして襟元周りの保温を保つために、掛布団の衿側縁部に、取り付け具や接着具を用いて装着するものなどいろいろあるが、何れも取り付けの煩わしさがあり、簡単な装置で、より以上の効果をあげ、その装置を解くと元の一枚の毛布になる事を課題とした。
【課題を解決するための手段】
【０００７】
本発明は、この様な従来の構成が有していた問題を解決しようとするものであり、解決手段として、毛布上面の折り返し分を残し、毛布の左右の両側縁部の内側に添って、胸部付近に毛布量を集める為に、縦に二筋の挿入口を持つ一対の当て布を装着し、その挿入口に、玉Ａを通した紐の両先を合わせて玉Ｂに通し、その紐先を分け二筋の挿入口より挿入し、当て布の底に紐を留めつける。
【０００８】
玉Ａ、玉Ｂを通した紐の長さは、玉Ａ、玉Ｂが当て布丈より出る位にし、玉Ａ持ち、玉Ｂを下ろし、玉Ａを通した紐を結ぶと係止され、両当て布の間が縮まり横にドレープができ、襟元の上面の折り返し分の毛布を顎下から肩部に添わして使用する。
【０００９】
玉Ａを持ち、玉Ｂを下に下ろし、玉Ａを通した長くなった紐を結ぶと紐が係止され、両当て布の間が縮められ、当て布の部分が硬くなり、ギャザーの立ち上がりでき、両当て布の間に立体的なドレープの空間ができ、人体の厚みに添う高さができるので動きが楽になる。襟元の上面の毛布を軽く折り返して顎の下から肩周りを包むように伸ばして使用すると、首周りや肩周りの部分も包み込まれ、襟元の保温を高める毛布となる。玉Ａを引っ張って解き、玉Ｂを持ち上げると皺は無くなり、元の一枚の毛布になる構造になっている。
【発明の効果】
【００１０】
毛布はそのまま使用すれば普通の毛布と変わらず、毛布上面の折り返し分を残し、毛布の左右の両側縁部の内側に添って、胸部付近に毛布量を集める為に、縦に二筋の挿入部を持つ一対の当て布を装着し、その挿入部に、玉Ａを通した紐の両先を合わせて玉Ｂに通し、その紐先を分け二筋の挿入口より挿入し、当て布の底に紐を留めつけ、玉Ａを持ち、玉Ｂを下ろす。玉Ａを通した長くなった紐を結ぶと、両当て布が縮まり、人体の厚みに添う高さができるので動きが楽になる。両当て布の間に横にドレープができるので、間に温かい空気溜まりできる。襟元の上面の毛布を軽く折り返して顎の下から肩周りを包むように伸ばして使用すると、温められた空気も逃げない。
【００１１】
襟元の折り返し分を顎の下から肩周りを包むように延ばすと、襟元から入る冷気を防ぎマフラーを掛けている状態なり、首周りや肩周りの保温が高められる。
【００１２】
体にぴったりとした下着より、少しゆとりのある下着の方が温かく、動きやすいように、毛布の中も温められた空気溜りのあるほうが軽くて温かい。両当て布を縮めるとその部分が硬くなり、ギャザーの立ち上がりでき、両当て布の間に横にドレープができる。人がその間に寝ると中央の部分が体の厚みに添って、ドレープが延び、体が包み込まれるようになる。ドレープの間には適当な空気溜まりができ、温められた空気が体に温かく動きやすい。
【００１３】
一枚の毛布を掛けただけでは、人体へ添いよりが無いので冷気も入りやすいが、動いてもドレープの中にゆとりがあり、毛布の中に立体的な空間ができるので、体への毛布の添いよりが良い。
【００１４】
病人や老人には、一枚の毛布でも体に重みを感じるものであるが、折り返し分の襟元周りの毛布が、首周りや肩周りを温かく包み、しかも両当て布を縮める事により、横にドレープができ、毛布の中に立体的な空間のゆとりできるので、体の厚み分の高さに添いやすく体への負担が少ない。縮められた当て布や両側縁部のギャザーは軽い重石となり、温められた空気を逃がさない。毛布中で少しぐらい動いても体への添い寄りは、ずれにくい。
【図面の簡単な説明】
【００１５】
【図１】玉を通した当て布を毛布に装着した裏平面図。
【図２】使用状態の裏平面図。
【図３】使用状態の表平面図。
【図４】玉を通した紐を当て布に挿入した部分拡大図。
【発明を実施するための形態】
【００１６】
毛布１上面の折り返し分７を残し、毛布の左右の両側縁部の内側に添って、縦に二筋の挿入口６を持つ一対の当て布２を装着し、その二筋の挿入口６に、玉Ａ３を通した紐５の両先を合わせて玉Ｂ４に通し、合わせた紐５の両先を分け二筋の挿入口６より挿入し、当て布２の底に紐を留めつける。  
【００１７】
玉Ａ３、玉Ｂ４を通した二筋の紐５の長さは、玉Ａ３、玉Ｂ４が当て布２丈より出る位にし、玉Ａ３持ち、玉Ｂ４を下ろし、玉Ａ３を通した長くなった紐５をひろげて玉Ａ３を中心に結ぶと係止される。（図２参照）両当て布２の間が縮まり横にドレープ８ができる。毛布１のドレープ８の中が立体的な空間のゆとりができるので体の厚みに添う高さができ、ドレープ８の間に温かい空気溜まりできる。襟元の上面の折り返し分７の毛布１を顎下から肩部に添わして使用すると、肩からの冷気も入らず、首周りや肩の部分も包まれ、襟元周りの保温が一層高められる毛布となる。
【００１８】
玉Ａの結び目は、玉Ａ３を引っ張ると直ぐに解け、玉Ｂ４を引き上げると皺は無くなり、元通りの一枚の毛布１となる。
【００１９】
当て布２は、毛布１と同じものを用いるか、別の柔らかくて温かいものを用いても良く、テープ状の布等を毛布に合わせて当て布にしても良い。
【００２０】
暖房の効いた部屋では、軽くて温かい立体的に構成された毛布だけでも充分に過ごす事ができ、その上に寒い場合は羽毛布団等を掛ければ万全である。
【００２１】
当て布２を縮めて結んだ玉Ａ３は、結んだ時はしっかり係止され、引っ張れば簡単に解く事ができ、玉Ｂ４を上に引き上げれば皺もなくなり一枚の毛布１となる。干すときも、片付けるために畳む時も、普通の毛布となんら変わる事は無い。以上の大きな効果がある。    
【符号の説明】
【００２２】
１  毛布
２  当て布
３  玉Ａ
４  玉Ｂ
５  紐
６  二筋の挿入口
７  折り返し分
８  ドレープ
【手続補正書】
【提出日】平成22年11月11日(2010.11.11)
【手続補正１】
【補正対象書類名】特許請求の範囲
【補正対象項目名】請求項２
【補正方法】変更
【補正の内容】
【請求項２】
玉Ａ、玉Ｂを通した紐の長さは、玉Ａ、玉Ｂが当て布丈より出る位にし、玉Ａを持ち、玉Ｂを下ろし、玉Ａを通した紐を結ぶと係止され、当て布の挿入口側と、当て布の底側の間がそれぞれ縮まり、横にドレープができ、襟元の上面の折り返し分の毛布を顎下から肩部に添わして使用する請求項１記載の襟元周りの保温を高める毛布。
【手続補正２】
【補正対象書類名】明細書
【補正対象項目名】全文
【補正方法】変更
【補正の内容】
【発明の詳細な説明】
【技術分野】
【０００１】
本発明は、襟元周りの保温を高め、体に負担の少ない毛布に関するものである。
【背景技術】
【０００２】
従来、寝具用防寒肩当てとして掛布団の衿側縁部に、首当て部と一対の肩当て部とを接着して、首当てや肩当てを紐、ピン、ホック、釦等を介して接着するというものがあるが首当てや肩当てを、装着部品を介して接着するという煩わしさがある。
【０００３】
布地を複数枚重ねた袋状の横長の長方形のマフラーの先端中央に、マフラー衿部を有し、後部に空気流出入口を設け、最後端部に取り付け具を用いて、寝具に着脱自在に止着するという構造のものは、問題点としてこれも取り付け具を用いたりする煩わしさある。
【０００４】
また、四方形の毛布の一辺に平行な襞を複数設け、この襞が崩れないように襞の中央寄り一定の巾を固定し襞の両端部はフリーにして襞が扇のように広がり両肩の上方向まで周り込むことができるようにしたものがあるが、襞は、ホック、縫い糸、紐等で固定されており、喉元周りが固定された襞に押さえつけられて圧迫感があり、毛布も固定された襞のため、襞の間に汚れがたまるなどの弊害もあり、毛布をたたむ時も固定部が盛り上がるなどすっきりと畳めないなどの問題点がある。
【先行技術文献】
【特許文献】
【０００５】
【特許文献１】特開平１１−１９２１４６号
【特許文献２】特開２００５−０１３５３１号
【特許文献３】特開２００７−１７５４６１号
【発明の概要】
【発明が解決しようとする課題】
【０００６】
寝具用防寒肩当てとして襟元周りの保温を保つために、掛布団の衿側縁部に、取り付け具や接着具を用いて装着するものなどいろいろあるが、何れも取り付けの煩わしさがあり、簡単な装置で、より以上の効果をあげ、その装置を解くと元の一枚の毛布になる事を課題とした。
【課題を解決するための手段】
【０００７】
本発明は、この様な従来の構成が有していた問題を解決しようとするものであり、解決手段として、毛布上面の折り返し分を残し、毛布の左右の両側縁部の内側に添って、縦に二筋の挿入口を持つ一対の当て布を装着し、その挿入口に、玉Ａを通した紐の両先を合わせて玉Ｂに通し、その紐先を分け二筋の挿入口より挿入し、当て布の底に紐を留めつける。
【０００８】
玉Ａ、玉Ｂを通した紐の長さは、玉Ａ、玉Ｂが当て布丈より出る位にし、玉Ａを持ち、玉Ｂを下ろし、玉Ａを通した紐を結ぶと係止され、当て布の挿入口側と、当て布の底側の間がそれぞれ縮まり、横にドレープができ、襟元の上面の折り返し分の毛布を顎下から肩部に添わして使用する。
【０００９】
玉Ａを持ち、玉Ｂを下に下ろし、玉Ａを通した長くなった紐を結ぶと紐が係止され、両当て布が縮められ、当て布の部分が硬くなり、ギャザーの立ち上がりでき、両当て布の間に立体的なドレープの空間ができ、人体の厚みに添う高さができるので動きが楽になる。襟元の上面の毛布を軽く折り返して顎の下から肩周りを包むように伸ばして使用すると、首周りや肩周りの部分も包み込まれ、襟元の保温を高める毛布となる。玉Ａを引っ張って解き、玉Ｂを持ち上げると皺は無くなり、元の一枚の毛布になる構造になっている。
【発明の効果】
【００１０】
毛布はそのまま使用すれば普通の毛布と変わらず、毛布上面の折り返し分を残し、毛布の左右の両側縁部の内側に添って、縦に二筋の挿入部を持つ一対の当て布を装着し、その挿入部に、玉Ａを通した紐の両先を合わせて玉Ｂに通し、その紐先を分け二筋の挿入口より挿入し、当て布の底に紐を留めつけ、玉Ａを持ち、玉Ｂを下ろす。玉Ａを通した長くなった紐を結ぶと、両当て布が縮まり、人体の厚みに添う高さができるので動きが楽になる。両当て布の間に横にドレープができるので、間に温かい空気溜まりできる。襟元の上面の毛布を軽く折り返して顎の下から肩周りを包むように伸ばして使用すると、温められた空気も逃げない。
【００１１】
襟元の折り返し分を顎の下から肩周りを包むように延ばすと、襟元から入る冷気を防ぎマフラーを掛けている状態なり、首周りや肩周りの保温が高められる。
【００１２】
体にぴったりとした下着より、少しゆとりのある下着の方が温かく、動きやすいように、毛布の中も温められた空気溜りのあるほうが軽くて温かい。両当て布を縮めるとその部分が硬くなり、ギャザーの立ち上がりでき、両当て布の間に横にドレープができる。人がその間に寝ると中央の部分が体の厚みに添って、ドレープが延び、体が包み込まれるようになる。ドレープの間には適当な空気溜まりができ、温められた空気が体に温かく動きやすい。
【００１３】
一枚の毛布を掛けただけでは、人体へ添いよりが無いので冷気も入りやすいが、動いてもドレープの中にゆとりがあり、毛布の中に立体的な空間ができるので、体への毛布の添いよりが良い。
【００１４】
病人や老人には、一枚の毛布でも体に重みを感じるものであるが、折り返し分の襟元周りの毛布が、首周りや肩周りを温かく包み、しかも両当て布を縮める事により、横にドレープができ、毛布の中に立体的な空間のゆとりできるので、体の厚み分の高さに添いやすく体への負担が少ない。縮められた当て布や両側縁部のギャザーは軽い重石となり、温められた空気を逃がさない。毛布中で少しぐらい動いても体への添い寄りは、ずれにくい。
【図面の簡単な説明】
【００１５】
【図１】玉を通した当て布を毛布に装着した裏平面図。
【図２】使用状態の裏平面図。
【図３】使用状態の表平面図。
【図４】玉を通した紐を当て布に挿入した部分拡大図。
【発明を実施するための形態】
【００１６】
毛布１上面の折り返し分７を残し、毛布の左右の両側縁部の内側に添って、縦に二筋の挿入口６を持つ一対の当て布２を装着し、その二筋の挿入口６に、玉Ａ３を通した紐５の両先を合わせて玉Ｂ４に通し、合わせた紐５の両先を分け二筋の挿入口６より挿入し、当て布２の底に紐を留めつける。  
【００１７】
玉Ａ３、玉Ｂ４を通した二筋の紐５の長さは、玉Ａ３、玉Ｂ４が当て布２丈より出る位にし、玉Ａ３持ち、玉Ｂ４を下ろし、玉Ａ３を通した長くなった紐５をひろげて玉Ａ３を中心に結ぶと係止される。（図２参照）両当て布２が縮まり横にドレープ８ができる。毛布１のドレープ８の中が立体的な空間のゆとりができるので体の厚みに添う高さができ、ドレープ８の間に温かい空気溜まりできる。襟元の上面の折り返し分７の毛布１を顎下から肩部に添わして使用すると、肩からの冷気も入らず、首周りや肩の部分も包まれ、襟元周りの保温が一層高められる毛布となる。
【００１８】
玉Ａの結び目は、玉Ａ３を引っ張ると直ぐに解け、玉Ｂ４を引き上げると皺は無くなり、元通りの一枚の毛布１となる。
【００１９】
当て布２は、毛布１と同じものを用いるか、別の柔らかくて温かいものを用いても良く、テープ状の布等を毛布に合わせて当て布にしても良い。
【００２０】
暖房の効いた部屋では、軽くて温かい立体的に構成された毛布だけでも充分に過ごす事ができ、その上に寒い場合は羽毛布団等を掛ければ万全である。
【００２１】
当て布２を縮めて結んだ玉Ａ３は、結んだ時はしっかり係止され、引っ張れば簡単に解く事ができ、玉Ｂ４を上に引き上げれば皺もなくなり一枚の毛布１となる。干すときも、片付けるために畳む時も、普通の毛布となんら変わる事は無い。以上の大きな効果がある。    
【符号の説明】
【００２２】
１  毛布
２  当て布
３  玉Ａ
４  玉Ｂ
５  紐
６  二筋の挿入口
７  折り返し分
８  ドレープ